(57)【要約】【課題】シャドウマスクの曲面保持強度を高めて電子ビームのランディング位置ずれを低減し、色純度の劣化を起こしにくい陰極線管を提供する。【解決手段】シャドウマスク７の電子ビーム通過孔が形成された有孔部７１の水平軸端近傍の点での曲面の曲率半径Ｒｋ（ｈ）、垂直端近傍の点での曲面の曲率半径Ｒｋ（ｖ）、対角軸端近傍の点での曲面の曲率半径Ｒｋ（ｄ）、及び、中心での曲面の曲率半径Ｒｋ（ｃ）が、Ｒｋ（ｃ）＞Ｒｋ（ｈ）、Ｒｋ（ｃ）＞Ｒｋ（ｖ）、Ｒｋ（ｃ）＞Ｒｋ（ｄ）を満足し、且つ、Ｒｋ（ｖ）とＲｋ（ｄ）との差が７００ｍｍ以下である。ここで、有孔部の曲面の曲率半径は、有孔部のＹ軸方向の曲線の曲率半径Ｒｙ及びＸ軸方向の曲線の曲率半径Ｒｘを用いてＲｋ2＝Ｒｘ×Ｒｙより算出される。【選択図】図３
2007213981.tif 000002
【特許請求の範囲】
【請求項１】
内面に蛍光体スクリーンが形成され、外面が実質的に平面であるパネルと、前記蛍光体スクリーンに対向して配置されたシャドウマスクと、前記シャドウマスクを保持する略矩形枠状のマスクフレームとを備えた陰極線管であって、
前記シャドウマスクは、多数の電子ビーム通過孔が形成された略矩形状の有孔部と、前記有孔部を取り囲む無孔部と、前記無孔部の外周に連設され、前記無孔部に対して折り曲げられたスカート部とを備え、
前記シャドウマスクは、前記スカート部で前記マスクフレームに保持されており、
前記陰極線管の管軸をＺ軸、前記Ｚ軸と直交し前記有孔部の長辺方向と略平行な軸をＸ軸、前記Ｚ軸及び前記Ｘ軸と直交し前記有孔部の短辺方向と略平行な軸をＹ軸とし、
前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出するとき、
前記有孔部の水平軸端近傍の点での曲面の曲率半径Ｒｋ（ｈ）、垂直端近傍の点での曲面の曲率半径Ｒｋ（ｖ）、対角軸端近傍の点での曲面の曲率半径Ｒｋ（ｄ）、及び、中心での曲面の曲率半径Ｒｋ（ｃ）が、Ｒｋ（ｃ）＞Ｒｋ（ｈ）、Ｒｋ（ｃ）＞Ｒｋ（ｖ）、Ｒｋ（ｃ）＞Ｒｋ（ｄ）を満足し、且つ、
Ｒｋ（ｖ）とＲｋ（ｄ）との差が７００ｍｍ以下であることを特徴とする陰極線管。
【請求項２】
Ｒｋ（ｖ）とＲｋ（ｄ）との差が４５０ｍｍ以下である請求項１に記載の陰極線管。
【請求項３】
内面に蛍光体スクリーンが形成され、外面が実質的に平面であるパネルと、前記蛍光体スクリーンに対向して配置されたシャドウマスクと、前記シャドウマスクを保持する略矩形枠状のマスクフレームとを備えた陰極線管であって、
前記シャドウマスクは、多数の電子ビーム通過孔が形成された略矩形状の有孔部と、前記有孔部を取り囲む無孔部と、前記無孔部の外周に連設され、前記無孔部に対して折り曲げられたスカート部とを備え、
前記シャドウマスクは、前記スカート部で前記マスクフレームに保持されており、
前記陰極線管の管軸をＺ軸、前記Ｚ軸と直交し前記有孔部の長辺方向と略平行な軸をＸ軸、前記Ｚ軸及び前記Ｘ軸と直交し前記有孔部の短辺方向と略平行な軸をＹ軸とし、
前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出し、
前記有孔部の中心から水平軸端までの前記Ｘ軸に沿った距離をＨ0、前記有孔部の対角軸端から前記Ｘ軸までの前記Ｙ軸と平行な方向に沿った距離をＤ0としたとき、
前記中心から前記Ｘ軸方向に距離０．９５×Ｈ0だけ離れた前記Ｘ軸上の点での曲面の曲率半径Ｒｋ（ｈ0.95）、前記中心から前記Ｙ軸方向に距離０．９５×Ｄ0だけ離れた前記Ｙ軸上の点での曲面の曲率半径Ｒｋ（ｖ0.95）、前記中心から前記Ｘ軸方向に距離０．９５×Ｈ0だけ離れ、且つ、前記Ｘ軸から前記Ｙ軸方向に距離０．９５×Ｄ0だけ離れた点での曲面の曲率半径Ｒｋ（ｄ0.95）、及び、中心での曲面の曲率半径Ｒｋ（ｃ）が、Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）を満足し、且つ、
Ｒｋ（ｖ0.95）とＲｋ（ｄ0.95）との差が７００ｍｍ以下であることを特徴とする陰極線管。
【請求項４】
Ｒｋ（ｖ0.95）とＲｋ（ｄ0.95）との差が４５０ｍｍ以下である請求項３に記載の陰極線管。
【請求項５】
内面に蛍光体スクリーンが形成され、外面が実質的に平面であるパネルと、前記蛍光体スクリーンに対向して配置されたシャドウマスクと、前記シャドウマスクを保持する略矩形枠状のマスクフレームとを備えた陰極線管であって、
前記シャドウマスクは、多数の電子ビーム通過孔が形成された略矩形状の有孔部と、前記有孔部を取り囲む無孔部と、前記無孔部の外周に連設され、前記無孔部に対して折り曲げられたスカート部とを備え、
前記シャドウマスクは、前記スカート部で前記マスクフレームに保持されており、
前記陰極線管の管軸をＺ軸、前記Ｚ軸と直交し前記有孔部の長辺方向と略平行な軸をＸ軸、前記Ｚ軸及び前記Ｘ軸と直交し前記有孔部の短辺方向と略平行な軸をＹ軸とし、
前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出し、
前記有孔部の中心から水平軸端までの前記Ｘ軸に沿った距離をＨ0、前記有孔部の対角軸端から前記Ｘ軸までの前記Ｙ軸と平行な方向に沿った距離をＤ0とし、
前記中心から前記Ｘ軸方向に距離０．９５×Ｈ0だけ離れた前記Ｘ軸上の点をＰ（Ｈ）、前記中心から前記Ｙ軸方向に距離０．９５×Ｄ0だけ離れた前記Ｙ軸上の点をＰ（Ｖ）、前記中心から前記Ｘ軸方向に距離０．９５×Ｈ0だけ離れ、且つ、前記Ｘ軸から前記Ｙ軸方向に距離０．９５×Ｄ0だけ離れた点をＰ（Ｄ）とし、
前記点Ｐ（Ｈ）、前記点Ｐ（Ｖ）、前記点Ｐ（Ｄ）、前記中心での曲面の曲率半径を順に、Ｒｋ（ｈ0.95）、Ｒｋ（ｖ0.95）、Ｒｋ（ｄ0.95）、Ｒｋ（ｃ）としたとき、
曲率半径Ｒｋ（ｈ0.95）、Ｒｋ（ｖ0.95）、Ｒｋ（ｄ0.95）、Ｒｋ（ｃ）が、Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）を満足し、且つ、
前記点Ｐ（Ｖ）と前記点Ｐ（Ｄ）とを結ぶ線分上の点での曲面の曲率半径のうちの最大値と最小値との差が７００ｍｍ以下であることを特徴とする陰極線管。
【請求項６】
前記点Ｐ（Ｖ）と前記点Ｐ（Ｄ）とを結ぶ線分上の点での曲面の曲率半径のうちの最大値と最小値との差が４５０ｍｍ以下である請求項５に記載の陰極線管。
【請求項７】
最大偏向角φがφ≧１１５°を満足する請求項１〜６のいずれかに記載の陰極線管。
【発明の詳細な説明】
【技術分野】
【０００１】
本発明は、シャドウマスクを用いた陰極線管に関する。特に、シャドウマスクの曲面保持強度を高めて電子ビームのランディング位置ずれを低減した陰極線管に関する。
【背景技術】
【０００２】
図７を参照しながら、従来の陰極線管の一例を説明する。図７は、従来の陰極線管の一例の模式的断面図を示している。陰極線管は、表示部がほぼ矩形状のガラス製のパネル２、このパネル２にその径大部が連接された漏斗状のガラス製のファンネル３、及びこのファンネル３のコーン部４に連接された円筒状のガラス製のネック５を備えた真空外囲器１からなる。
【０００３】
パネル２の内面には、蛍光体層で形成された蛍光体スクリーン６が設けられている。蛍光体層は、青、緑、赤の各色に発光するドット状又はストライプ状の３色の蛍光体層からなる。蛍光体スクリーン６に対向してシャドウマスク７が配置されている。シャドウマスク７には、多数の電子ビーム通過孔が形成されている。シャドウマスク７は、略矩形枠状のマスクフレーム１８に保持されている。ネック５内には、３本の電子ビーム８Ｒ，８Ｇ，８Ｂを放出する電子銃８が配設されている。電子ビーム８Ｒ，８Ｇ，８Ｂを地磁気などの外部磁界から遮蔽するための磁気シールド２０がマスクフレーム１８に保持されている。
【０００４】
ファンネル３のコーン部４からネック５に至る真空外囲器１の外周面上に、偏向ヨーク９が装着されている。３本の電子ビーム８Ｒ，８Ｇ，８Ｂは、偏向ヨーク９が発生する水平及び垂直偏向磁界により偏向され、シャドウマスク７を介して蛍光体スクリーン６上を水平及び垂直走査することにより、カラー画像が表示される。
【０００５】
陰極線管においては、セルフコンバーゼンス・インライン型陰極線管が広く実用化されている。この陰極線管では、電子銃８を、同一水平面上に一列配置された３本の電子ビームを放出するインライン型電子銃とし、偏向ヨーク９が発生する水平偏向磁界をピンクッション形、垂直偏向磁界をバレル形とする。これにより、一列配置された３本の電子ビームは、これらの水平及び垂直偏向磁界により偏向されるとともに、格別の補正手段を要することなく画面全面にわたって集中される。
【０００６】
陰極線管は、機種に応じた偏向角φを有している。偏向角φは、リファレンスライン（偏向基準位置）２５と関係がある。リファレンスラインとは、蛍光体スクリーン６の対角軸端６ａ、６ｂと管軸（Ｚ軸）上の点１９とを連結する２つの直線が形成する角度がその陰極線管の偏向角φと同一である場合において、この管軸上の点１９を通り管軸と直交する線のことである。
【０００７】
シャドウマスク７は、蛍光体スクリーン６を構成する３色蛍光体層に対して、電子銃８から放出される３電子ビーム８Ｒ，８Ｇ，８Ｂを選別する。シャドウマスク７は、蛍光体スクリーン６と対向する曲面を備え、且つ、多数の電子ビーム通過孔が形成された有孔部と、この有孔部の周囲を取囲む無孔部と、この無孔部の外周に連設され、且つ、無孔部に対してほぼ直角に折り曲げられたスカート部とからなる。シャドウマスク７は、このシャドウマスク７のスカート部がほぼ矩形枠状のマスクフレーム１８に取り付けられて、マスクフレーム１８に保持されている。そして、マスクフレーム１８の４隅に取り付けられた略Ｖ字状の弾性支持体２１をパネル２の４隅に設けられたスタッドピン２２に係止することにより、シャドウマスク７はパネル２の内側に着脱可能に保持されている。
【０００８】
一般に陰極線管の蛍光体スクリーン６上に色ずれのない画像を表示するためには、シャドウマスク７の電子ビーム通過孔を通過した３電子ビーム８Ｒ，８Ｇ，８Ｂが３色蛍光体層に正しくランディングするように、３電子ビーム８Ｒ，８Ｇ，８Ｂを選別する必要がある。そのためには、パネル２とシャドウマスク７との位置関係を正しく保持する必要があり、とりわけ、蛍光体スクリーン６が設けられたパネル２の内面とシャドウマスク７の有孔部との間隔を所定の許容範囲内に維持する必要がある。
【０００９】
近年、陰極線管の視認性を向上させるため、パネル２の有効部の外面の曲率半径を大きくして平面に近づけることが要望されている。これを実現するためには、真空外囲器１の大気圧強度および視認性を確保する観点から、パネル２の有効部の内面の曲率半径を大きくする必要がある。パネル２の有効部の内面の曲率半径を増大するためには、電子ビーム８Ｒ，８Ｇ，８Ｂを蛍光体スクリーン６に適切にランディングさせる観点から、シャドウマスク７の有孔部の曲率半径も大きくする必要がある。
【００１０】
また、近年、陰極線管の奥行き寸法を小さくするため、偏向角度を大きくすることも要望されている。偏向角度を大きくすると、蛍光体スクリーン６の中央に到達する電子ビームと対角軸端６ａ、６ｂに到達する電子ビームとで、その軌道長の差が大きくなる。従って、蛍光体スクリーン６上に投射されるシャドウマスク７の電子ビーム通過孔の配置パターンの拡大率の観点から、シャドウマスク７の有孔部の曲率半径を大きくする必要がある。
【００１１】
しかし、シャドウマスク７の有孔部の曲率半径を大きくすると、シャドウマスク７がその曲面形状を保持するための耐力（以下、「曲面保持強度」という）が低下する。従って、シャドウマスク７の製造工程での局部的な変形や、陰極線管の製造工程でのシャドウマスク７の熱変形、製造後の陰極線管の輸送中等での外部衝撃によるシャドウマスク７の変形などが起こりやすくなり、電子ビーム８Ｒ，８Ｇ，８Ｂの蛍光体スクリーン６に対するランディング位置のずれを招き、色純度の劣化が生じやすくなる。
【００１２】
このような問題を解決するために、特許文献１には、シャドウマスクの有孔部に補強ビードを設けることにより、シャドウマスクの曲面保持強度を向上する提案がされている。
【特許文献１】特開平７−１６１３０６号公報
【発明の開示】
【発明が解決しようとする課題】
【００１３】
しかし、十分な曲面保持強度が得られるようにシャドウマスクの有孔部に補強ビードを設けると、パネルの内面とシャドウマスクの有孔部との間隔が許容範囲から局部的に外れてしまう。従って、補強ビードが形成された領域とこれ以外の領域との間にできる段差が画面上に画質の差として現れ、画質を著しく劣化させる。そのため、現実には補強ビードの高さには上限があり、通常、０．２ｍｍ程度以下にする必要がある。この結果、曲面保持強度の向上にも限度があった。
【００１４】
本発明は、上記問題を解決するためになされたものであり、画質及び画像輝度を損なうことなく、シャドウマスクの曲面保持強度を高めて電子ビームのランディング位置ずれを低減し、色純度の劣化を起こしにくい陰極線管を提供することを目的とする。
【課題を解決するための手段】
【００１５】
本発明の陰極線管は、内面に蛍光体スクリーンが形成され、外面が実質的に平面であるパネルと、前記蛍光体スクリーンに対向して配置されたシャドウマスクと、前記シャドウマスクを保持する略矩形枠状のマスクフレームとを備える。
【００１６】
前記シャドウマスクは、多数の電子ビーム通過孔が形成された略矩形状の有孔部と、前記有孔部を取り囲む無孔部と、前記無孔部の外周に連設され、前記無孔部に対して折り曲げられたスカート部とを備える。
【００１７】
前記シャドウマスクは、前記スカート部で前記マスクフレームに保持されている。
【００１８】
前記陰極線管の管軸をＺ軸、前記Ｚ軸と直交し前記有孔部の長辺方向と略平行な軸をＸ軸、前記Ｚ軸及び前記Ｘ軸と直交し前記有孔部の短辺方向と略平行な軸をＹ軸とする。
【００１９】
本発明の第１の陰極線管では、前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出するとき、前記有孔部の水平軸端近傍の点での曲面の曲率半径Ｒｋ（ｈ）、垂直端近傍の点での曲面の曲率半径Ｒｋ（ｖ）、対角軸端近傍の点での曲面の曲率半径Ｒｋ（ｄ）、及び、中心での曲面の曲率半径Ｒｋ（ｃ）が、Ｒｋ（ｃ）＞Ｒｋ（ｈ）、Ｒｋ（ｃ）＞Ｒｋ（ｖ）、Ｒｋ（ｃ）＞Ｒｋ（ｄ）を満足し、且つ、Ｒｋ（ｖ）とＲｋ（ｄ）との差が７００ｍｍ以下であることを特徴とする。
【００２０】
本発明の第２の陰極線管では、前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出し、前記有孔部の中心から水平軸端までの前記Ｘ軸に沿った距離をＨ0、前記有孔部の対角軸端から前記Ｘ軸までの前記Ｙ軸と平行な方向に沿った距離をＤ0としたとき、前記中心から前記Ｘ軸方向に距離０．９５×Ｈ0だけ離れた前記Ｘ軸上の点での曲面の曲率半径Ｒｋ（ｈ0.95）、前記中心から前記Ｙ軸方向に距離０．９５×Ｄ0だけ離れた前記Ｙ軸上の点での曲面の曲率半径Ｒｋ（ｖ0.95）、前記中心から前記Ｘ軸方向に距離０．９５×Ｈ0だけ離れ、且つ、前記Ｘ軸から前記Ｙ軸方向に距離０．９５×Ｄ0だけ離れた点での曲面の曲率半径Ｒｋ（ｄ0.95）、及び、中心での曲面の曲率半径Ｒｋ（ｃ）が、Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）を満足し、且つ、Ｒｋ（ｖ0.95）とＲｋ（ｄ0.95）との差が７００ｍｍ以下であることを特徴とする。
【００２１】
本発明の第３の陰極線管では、前記有孔部の前記Ｙ軸方向の曲線の曲率半径Ｒｙ及び前記Ｘ軸方向の曲線の曲率半径Ｒｘを用いて前記有孔部の曲面の曲率半径ＲｋをＲｋ2＝Ｒｘ×Ｒｙより算出し、前記有孔部の中心から水平軸端までの前記Ｘ軸に沿った距離をＨ0、前記有孔部の対角軸端から前記Ｘ軸までの前記Ｙ軸と平行な方向に沿った距離をＤ0とし、前記中心から前記Ｘ軸方向に距離０．９５×Ｈ0だけ離れた前記Ｘ軸上の点をＰ（Ｈ）、前記中心から前記Ｙ軸方向に距離０．９５×Ｄ0だけ離れた前記Ｙ軸上の点をＰ（Ｖ）、前記中心から前記Ｘ軸方向に距離０．９５×Ｈ0だけ離れ、且つ、前記Ｘ軸から前記Ｙ軸方向に距離０．９５×Ｄ0だけ離れた点をＰ（Ｄ）とし、前記点Ｐ（Ｈ）、前記点Ｐ（Ｖ）、前記点Ｐ（Ｄ）、前記中心での曲面の曲率半径を順に、Ｒｋ（ｈ0.95）、Ｒｋ（ｖ0.95）、Ｒｋ（ｄ0.95）、Ｒｋ（ｃ）としたとき、曲率半径Ｒｋ（ｈ0.95）、Ｒｋ（ｖ0.95）、Ｒｋ（ｄ0.95）、Ｒｋ（ｃ）が、Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）を満足し、且つ、前記点Ｐ（Ｖ）と前記点Ｐ（Ｄ）とを結ぶ線分上の点での曲面の曲率半径のうちの最大値と最小値との差が７００ｍｍ以下であることを特徴とする。
【発明の効果】
【００２２】
本発明によれば、シャドウマスクの有孔部の中心での曲面の曲率半径より長辺側周辺部での曲面の曲率半径を小さくし、且つ、有孔部の長辺側周辺部での曲面の曲率半径をほぼ均一にする。このように、応力集中しやすい有孔部の長辺側周辺部での曲面の曲率半径を小さく且つ略均一にすることにより、画質及び画像輝度を損なうことなく、シャドウマスクの曲面保持強度が向上する。従って、陰極線管の製造工程において、または、製造終了後に管軸方向へ衝撃が加わっても、シャドウマスクの有孔部の変形を防止することが可能となる。このため、電子ビームのランディング位置ずれを低減することができ、色純度の劣化を防止することができる。
【発明を実施するための最良の形態】
【００２３】
以下、図面を参照して本発明の実施形態について説明する。
【００２４】
本発明に係る陰極線管の基本構造は特に限定はなく、例えばシャドウマスク７を除いて図７に示した従来の一般的な陰極線管と同様でも良い。従って、シャドウマスク以外の構成についての詳細な説明を省略する。
【００２５】
図１は本発明の一実施形態に係る陰極線管のシャドウマスク７を示す斜視図である。シャドウマスク７は、電子銃８から出射されるＲ（赤）、Ｇ（緑）、Ｂ（青）の各色に対応する３本の電子ビームに対して色選別を行う電極であり、図１に示すように、蛍光体スクリーン６側に凸のなだらかなドーム状曲面に形成された主面部７０と、主面部７０のほぼ全外周に連設され、主面部７０に対してほぼ直角に電子銃８側に折り曲げられたスカート部７３とを備えている。主面部７０は、スロット状又はドット状の多数の電子ビーム通過孔７５が形成された領域である、略矩形状の有孔部７１と、有孔部７１の周囲を取り囲む、電子ビーム通過孔が形成されていない領域である無孔部７２とからなる。図示したように、陰極線管の管軸をＺ軸、Ｚ軸と直交し有孔部７１の長辺７１Ｈの方向と略平行な軸をＸ軸、Ｚ軸及びＸ軸と直交し有孔部７１の短辺７１Ｖの方向と略平行な軸をＹ軸とする。陰極線管は、通常、そのＸ軸方向を水平方向に、そのＹ軸方向を垂直方向にして使用される。
【００２６】
図２（Ａ）はシャドウマスク７及びマスクフレーム１８からなるシャドウマスク構体８０の概略構成を示す平面図、図２（Ｂ）は図２（Ａ）の２Ｂ−２Ｂ線での矢視断面図である。シャドウマスク７のスカート部７３が略矩形枠状のマスクフレーム１８の内側に嵌め込まれ、スカート部７３とマスクフレーム１８とが溶接されている。
【００２７】
近年、陰極線管の視認性を向上させるため、パネル２の有効部の外面が、曲率半径１００００ｍｍ以上の実質的に平面であることが好まれている。これを実現するためには、真空外囲器１の大気圧強度および視認性を確保する観点から、パネル２の有効部の内面の曲率半径を大きくする必要がある。パネル２の有効部の内面の曲率半径を増大するためには、電子ビームを蛍光体スクリーンに適切にランディングさせる観点から、シャドウマスク７の有孔部７１の曲率半径も大きくする必要がある。
【００２８】
また、近年、陰極線管の奥行き寸法を小さくするため、通常は１００度〜１１０度である偏向角度を１２０度程に大きくすることも要求されている。偏向角度を大きくすると、蛍光体スクリーン６の中央に到達する電子ビームと対角軸端６ａ、６ｂに到達する電子ビームとで、その軌道長の差が大きくなる。従って、蛍光体スクリーン６上に投射されるシャドウマスク７の電子ビーム通過孔の配置パターンの拡大率の観点から、シャドウマスク７の有孔部７１の曲率半径を大きくする必要がある。
【００２９】
一般的に、シャドウマスク７の有孔部７１の曲率半径を大きくすると、曲面保持強度が低下する。従って、シャドウマスク７の製造工程での局部的な変形、製造後の陰極線管の輸送中等での外部衝撃によるシャドウマスク７の変形などが起こりやすくなり、電子ビームの蛍光体スクリーン６に対するランディング位置のずれを招き、色純度の劣化が生じやすくなる。
【００３０】
陰極線管が外部から衝撃を受けた場合、その衝撃はスカート部７３を介して無孔部７２及び有孔部７１に伝えられる。この衝撃によりシャドウマスク７に生じる慣性力はシャドウマスク７の質量、即ち面積に比例して大きくなる。有孔部７１の周辺部には、有孔部７１の全質量に応じた慣性力が加わるので、中央部に比べて周辺部ではより大きな応力が加えられる。更に、有孔部７１と無孔部７２とでは、電子ビーム通過孔７５の有無によって、機械的強度が大きく異なる。これらにより、有孔部７１の周辺部では、応力が集中して変形が生じやすい。
【００３１】
一般的にシャドウマスク７は、有孔部７１に開孔を形成した金属平板をドーム状の曲面にプレス成形することにより製造される。この際、プレス金型のバラツキ等により、本来の理想曲面に対して実際に得られる曲面は若干異なる。実際に得られた曲面の確認は以下のようにして行われる。有孔部７１の表面の、中心に対するＺ軸方向における変位量（以下、「落ち込み量」という）を、有孔部７１内において多点にて測定し、理想曲面に対してどの程度の相違があるかを算出する。また、同時に、Ｘ軸方向及びＹ軸方向の曲線の曲率半径が理想曲面に対してどの程度の相違があるかを判断する。ここで、「Ｘ（Ｙ）軸方向の曲線の曲率半径」とは、Ｘ（Ｙ）軸及びＺ軸を含む面とシャドウマスク７の表面とにより形成される曲線の曲率半径をいう。
【００３２】
しかし、２方向の曲線の曲率半径のみでは、実際の曲面の曲率半径分布を認識することが困難であり、シャドウマスク７の有孔部７１の曲率半径分布と曲面保持強度との因果関係を確認することができなかった。
【００３３】
一般的に曲面の曲率半径は、全曲率またはＧａｕｓｓの曲率によって表される。全曲率Ｋは、
Ｋ＝１／（Ｒ１×Ｒ２）      ・・・（１）
で表される。
【００３４】
上記式（１）において、曲率半径Ｒ１、Ｒ２は曲面上のある点に対する無数の法線切り口における極大値、極小値である。
【００３５】
しかしながら、実際に得られたシャドウマスク７の有孔部７１内の無数の点の落ち込み量を測定し、無数の方向のそれぞれについて全曲率Ｋを算出するのは難しく、また、膨大な時間を要する。
【００３６】
そこで、本発明では、上記式（１）における極大値Ｒ１及び極小値Ｒ２を簡易的にＸ軸方向の曲線の曲率半径Ｒｘ及びＹ軸方向の曲線の曲率半径Ｒｙと仮定し、曲面の曲率半径Ｒｋを
Ｒｋ2＝Ｒｘ×Ｒｙ      ・・・（２）
を用いて算出する。上記式（２）を用いることにより、効率よく曲面の曲率半径分布を確認することができ、更に、曲面保持強度を高める曲面の曲率半径分布を導くことが可能となる。シャドウマスク７の有孔部７１の曲面はドーム状の曲面であるので、上記式（２）を用いて算出される有孔部７１の曲面の曲率半径Ｒｋは通常Ｒｋ＞０を満足する。
【００３７】
図３はシャドウマスク７の有孔部７１上の点を示した平面図である。
【００３８】
図３に示したように、有孔部７１内においてＺ軸が通過する点を有孔部７１の中心Ｐ（Ｃ）、中心Ｐ（Ｃ）を通り、Ｘ軸及びＺ軸を含む面（ＸＺ面）と短辺７１Ｖとが交差する点を水平軸端Ｐ（Ｈ0）、中心Ｐ（Ｃ）を通り、Ｙ軸及びＺ軸を含む面（ＹＺ面）と長辺７１Ｈとが交差する点を垂直軸端Ｐ（Ｖ0）、中心Ｐ（Ｃ）から最も遠い有孔部７１の外周縁上の点（即ち、長辺７１Ｈと短辺７１Ｖとが交差する点）を対角軸端Ｐ（Ｄ0）とする。
【００３９】
また、中心Ｐ（Ｃ）から水平軸端Ｐ（Ｈ0）までのＸ軸に沿った距離をＨ0、中心Ｐ（Ｃ）から垂直軸端Ｐ（Ｖ0）までのＹ軸に沿った距離をＶ0、対角軸端Ｐ（Ｄ0）からＸ軸（又はＸＺ面）までのＹ軸と平行な方向に沿った距離をＤ0とする。
【００４０】
中心Ｐ（Ｃ）からＸ軸方向に距離０．８×Ｈ0だけ離れたＸ軸上の点をＰ（Ｈ1）としたとき、本発明において「水平軸端近傍の点」とは、水平軸端Ｐ（Ｈ0）と点Ｐ（Ｈ1）との間の範囲内にある点をいう。
【００４１】
中心Ｐ（Ｃ）からＹ軸方向に距離０．８×Ｖ0だけ離れたＹ軸上の点をＰ（Ｖ1）としたとき、本発明において「垂直軸端近傍の点」とは、垂直軸端Ｐ（Ｖ0）と点Ｐ（Ｖ1）との間の範囲内にある点をいう。
【００４２】
中心Ｐ（Ｃ）からＸ軸方向に距離０．８×Ｈ0だけ離れ、且つ、Ｘ軸（又はＸＺ面）からＹ軸方向に距離０．８×Ｖ0だけ離れた点をＰ（Ｄ1）としたとき、本発明において「対角軸端近傍の点」とは、対角軸端Ｐ（Ｄ0）と点Ｐ（Ｄ1）との間の範囲内にある点をいう。
【００４３】
更に、水平軸端近傍の点での曲面の曲率半径をＲｋ（ｈ）、垂直端近傍の点での曲面の曲率半径をＲｋ（ｖ）、対角軸端近傍の点での曲面の曲率半径をＲｋ（ｄ）、中心Ｐ（Ｃ）での曲面の曲率半径をＲｋ（ｃ）とする。
【００４４】
本発明では、曲率半径Ｒｋ（ｈ）、Ｒｋ（ｖ）、Ｒｋ（ｄ）、Ｒｋ（ｃ）が、
Ｒｋ（ｃ）＞Ｒｋ（ｈ）、Ｒｋ（ｃ）＞Ｒｋ（ｖ）、Ｒｋ（ｃ）＞Ｒｋ（ｄ）
を満足し、且つ、Ｒｋ（ｖ）とＲｋ（ｄ）との差が７００ｍｍ以下である。即ち、有孔部７１の中心での曲面の曲率半径より周辺部（有孔部７１の各軸端近傍の点）での曲面の曲率半径を小さくし、且つ、有孔部７１の周辺部（有孔部７１の各軸端近傍の点）での曲面の曲率半径をほぼ均一にする。これにより、シャドウマスク７の曲面保持強度を高めることができる。
【００４５】
Ｒｋ（ｖ）とＲｋ（ｄ）との差が４５０ｍｍ以下であることが好ましい。これにより、シャドウマスク７の曲面保持強度をより高めることができる。
【００４６】
図３に示したように、有孔部７１の中心Ｐ（Ｃ）からＸ軸方向に距離０．９５×Ｈ0だけ離れたＸ軸上の点をＰ（Ｈ）としたとき、点Ｐ（Ｈ）での曲面の曲率半径をＲｋ（ｈ0.95）とする。
【００４７】
有孔部７１の中心Ｐ（Ｃ）からＹ軸方向に距離０．９５×Ｄ0だけ離れたＹ軸上の点をＰ（Ｖ）としたとき、点Ｐ（Ｖ）での曲面の曲率半径をＲｋ（ｖ0.95）とする。
【００４８】
有孔部７１の中心Ｐ（Ｃ）からＸ軸方向に距離０．９５×Ｈ0だけ離れ、且つ、Ｘ軸（又はＸＺ面）からＹ軸方向に距離０．９５×Ｄ0だけ離れた点をＰ（Ｄ）としたとき、点Ｐ（Ｄ）での曲面の曲率半径をＲｋ（ｄ0.95）とする。
【００４９】
本発明では、曲率半径Ｒｋ（ｈ0.95）、Ｒｋ（ｖ0.95）、Ｒｋ（ｄ0.95）、Ｒｋ（ｃ）が、
Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）
を満足し、且つ、Ｒｋ（ｖ0.95）とＲｋ（ｄ0.95）との差が７００ｍｍ以下である。即ち、有孔部７１の中心での曲面の曲率半径より周辺部での曲面の曲率半径を小さくし、且つ、有孔部７１の周辺部での曲面の曲率半径をほぼ均一にする。これにより、シャドウマスク７の曲面保持強度を高めることができる。
【００５０】
Ｒｋ（ｖ0.95）とＲｋ（ｄ0.95）との差が４５０ｍｍ以下であることが好ましい。これにより、シャドウマスク７の曲面保持強度をより高めることができる。
【００５１】
また、本発明では、曲率半径Ｒｋ（ｈ0.95）、Ｒｋ（ｖ0.95）、Ｒｋ（ｄ0.95）、Ｒｋ（ｃ）が、
Ｒｋ（ｃ）＞Ｒｋ（ｈ0.95）、Ｒｋ（ｃ）＞Ｒｋ（ｖ0.95）、Ｒｋ（ｃ）＞Ｒｋ（ｄ0.95）
を満足し、且つ、点Ｐ（Ｖ）と点Ｐ（Ｄ）とを結ぶ線分（両端の点Ｐ（Ｖ）及び点Ｐ（Ｄ）を含む）上の点での曲面の曲率半径のうちの最大値と最小値との差が７００ｍｍ以下である。即ち、有孔部７１の中心での曲面の曲率半径より周辺部での曲面の曲率半径を小さくし、且つ、有孔部７１の長辺側周辺部での曲面の曲率半径をほぼ均一にする。これにより、シャドウマスク７の曲面保持強度を高めることができる。
【００５２】
点Ｐ（Ｖ）と点Ｐ（Ｄ）とを結ぶ線分（両端の点Ｐ（Ｖ）及び点Ｐ（Ｄ）を含む）上の点での曲面の曲率半径のうちの最大値と最小値との差が４５０ｍｍ以下であることが好ましい。これにより、シャドウマスク７の曲面保持強度をより高めることができる。
【００５３】
本発明の陰極線管の最大偏向角φがφ≧１１５°を満足することが好ましい。ここで、「最大偏向角φ」とは、電子ビームが蛍光体スクリーン６の最大径位置（一般的には対角軸端６ａ，６ｂ）に到達するときの電子ビーム軌道の偏向角をいう（図７参照）。このような広偏向角の陰極線管ではシャドウマスク７の有孔部７１の曲率半径を大きくする必要がある。一般に、シャドウマスク７の有孔部７１の曲率半径が大きいと、シャドウマスク７の曲面保持強度が低下する。本発明は、シャドウマスク７の曲面保持強度を高めることができるので、このような広偏向角の陰極線管に本発明を適用すると、本発明の効果が顕著に発揮されるので好ましい。
【００５４】
次に、本発明を８６ｃｍ型、スクリーンアスペクト比１６：９、偏向角度１１０度の陰極線管に適用した具体例を説明する。この陰極線管のシャドウマスク７の有孔部７１の中心Ｐ（Ｃ）から水平軸端Ｐ（Ｈ0）までのＸ軸に沿った距離Ｈ0は概ね３５８ｍｍ、中心Ｐ（Ｃ）から垂直軸端Ｐ（Ｖ0）までのＹ軸に沿った距離Ｖ0は概ね２１０ｍｍであった。対角軸端Ｐ（Ｄ0）のＸ座標値は水平軸端Ｐ（Ｈ0）のそれと同一であり、Ｙ座標値は垂直軸端Ｐ（Ｖ0）のそれと同一であった。
【００５５】
図４は、この陰極線管のシャドウマスク７の有孔部７１の中心Ｐ（Ｃ）からＹ軸方向に距離２００ｍｍだけ離れたＹ軸上の点（垂直軸端近傍の点）での曲面の曲率半径Ｒｋ（ｖ）（即ち、曲率半径Ｒｋ（ｖ0.95））と、中心Ｐ（Ｃ）からＸ軸方向に距離３４０ｍｍだけ離れ、且つ、Ｘ軸（又はＸＺ面）からＹ軸方向に距離２００ｍｍだけ離れた点（対角軸端近傍の点）での曲面の曲率半径Ｒｋ（ｄ）（即ち、曲率半径Ｒｋ（ｄ0.95））との差Ｒｋ（ｖ）−Ｒｋ（ｄ）（即ち、Ｒｋ（ｖ0.95）−Ｒｋ（ｄ0.95））に対する、シャドウマスク７の曲面保持強度の関係を示したグラフである。
【００５６】
曲率半径は以下のようにして求めた。Ｘ軸方向及びＹ軸方向にそれぞれ２０ｍｍ間隔の格子点で有孔部７１の表面の落ち込み量を測定した。この測定値よりＸ軸方向及びＹ軸方向における曲線の曲率半径（Ｒｘ，Ｒｙ）を算出し、上述の式（２）より曲面の曲率半径Ｒｋを算出した。
【００５７】
曲面保持強度は、陰極線管を、そのネックを下にし、且つ、管軸を鉛直方向と平行にして、高さを徐々に高くして順次落下させてシャドウマスクの変形を調べる落下試験により測定した。図４の曲面保持強度は、陰極線管に加えられる衝撃が１０Ｇでもシャドウマスクに変形が生じないときの曲面保持強度を１００％としたときの相対値で示している。曲面保持強度が１００％以上であれば実用上問題のない耐落下強度（即ち、曲面保持強度）を有していることを意味する。
【００５８】
実験では、シャドウマスク７の有孔部７１の水平軸端Ｐ（Ｈ0）及び対角軸端Ｐ（Ｄ0）での落ち込み量を一定とし、垂直軸端Ｐ（Ｖ0）での落ち込み量を変えることにより、有孔部７１の曲面の曲率半径を変化させた。
【００５９】
通常、シャドウマスク７の曲面の曲率半径が小さくなればなるほど、曲面保持強度は上昇する。しかし、図４に示すように、垂直軸端Ｐ（Ｖ0）での落ち込み量を大きくすることにより、垂直軸端近傍の点での曲面の曲率半径Ｒｋ（ｖ）を小さくすると、曲面保持強度は上昇するどころか、むしろ低下している。垂直軸端近傍の点での曲面の曲率半径Ｒｋ（ｖ）と対角軸端近傍の点での曲面の曲率半径Ｒｋ（ｄ）とが等しいとき（即ち、Ｒｋ（ｖ）−Ｒｋ（ｄ）＝０のとき）、曲面保持強度は最大となり、差Ｒｋ（ｖ）−Ｒｋ（ｄ）が±７００ｍｍ以下であれば、曲面保持強度は１００％以上になる。
【００６０】
図５（Ａ）、図５（Ｂ）、図５（Ｃ）に、それぞれ図４の点Ｐ１，Ｐ２，Ｐ３のシャドウマスクの第一象限内の代表点での曲面の曲率半径の値を示す。各図において、横軸、縦軸は、中心Ｐ（Ｃ）を原点としたときの各点のＸ座標値、Ｙ座標値を示す。曲面保持強度がほぼ１００％である図４の点Ｐ１のシャドウマスクでは、Ｒｋ（ｄ0.95）−Ｒ（ｖ0.95）は７１２ｍｍである。また、曲面保持強度がほぼ１００％である図４の点Ｐ３のシャドウマスクでは、Ｒｋ（ｖ0.95）−Ｒｋ（ｈ0.95）は７０６ｍｍである。これに対して、図５（Ｂ）に示すように、Ｒｋ（ｖ0.95）とＲｋ（ｄ0.95）との差を小さくすることにより、その曲面保持強度は図４の点Ｐ２で示されるように１２３％となり、図４の点Ｐ１及び点Ｐ３のシャドウマスクに対して２３％向上する。このように、図５（Ａ）、図５（Ｂ）、図５（Ｃ）のグラフより少なくとも垂直軸端近傍の点及び対角軸端近傍の点での曲面の曲率半径Ｒｋ（ｖ0.95）とＲｋ（ｄ0.95）との差を７００ｍｍ以下にすることにより、シャドウマスク７の曲面保持強度を目標である１００％以上にすることができる。
【００６１】
また、ここでの実施例としては図３に示す点Ｐ（Ｄ）と点Ｐ（Ｖ）について述べているが点Ｐ（Ｄ0）及び点Ｐ（Ｖ0）でも同様の現象が生じることを確認している。
【００６２】
また、余裕をもった曲面保持強度を確保するためには、曲面保持強度は１１０％以上であることが好ましい。これを実現するためには、図４より、−４５０≦Ｒｋ（ｖ）−Ｒｋ（ｄ）≦４５０であればよい。従って、水平軸端近傍の点、対角軸端近傍の点、垂直端近傍の点での曲面の曲率半径Ｒｋ（ｄ）、Ｒｋ（ｖ）のうちの最大値と最小値との差が４５０ｍｍ以下であれば、１１０％以上の曲面保持強度を有するシャドウマスクを実現できる。
【００６３】
また、図４、図５（Ａ）、図５（Ｂ）、図５（Ｃ）より、有孔部７１の中心Ｐ（Ｃ）からＹ軸方向に距離０．９５×Ｄ0だけ離れたＹ軸上の点での曲面の曲率半径Ｒｋ（ｖ0.95）、中心Ｐ（Ｃ）からＸ軸方向に距離０．９５×Ｈ0だけ離れ、且つ、Ｘ軸（又はＸＺ面）からＹ軸方向に距離０．９５×Ｄ0だけ離れた点での曲面の曲率半径Ｒｋ（ｄ0.95）のうちの最大値と最小値との差を７００ｍｍ以下にすることにより、シャドウマスク７の曲面保持強度を目標である１００％以上にすることができる。
【００６４】
また、Ｒｋ（ｖ0.95）、Ｒｋ（ｄ0.95）のうちの最大値と最小値との差が４５０ｍｍ以下であれば、１１０％以上の曲面保持強度を有するシャドウマスクを実現できる。
【００６５】
更に、中心Ｐ（Ｃ）からＸ軸方向に距離０．９５×Ｈ0だけ離れたＸ軸上の点をＰ（Ｈ）、中心Ｐ（Ｃ）からＹ軸方向に距離０．９５×Ｄ0だけ離れたＹ軸上の点をＰ（Ｖ）、中心Ｐ（Ｃ）からＸ軸方向に距離０．９５×Ｈ0だけ離れ、且つ、Ｘ軸（又はＸＺ面）からＹ軸方向に距離０．９５×Ｄ0だけ離れた点をＰ（Ｄ）としたとき、図４、図５（Ａ）、図５（Ｂ）、図５（Ｃ）より、点Ｐ（Ｖ）と点Ｐ（Ｄ）とを結ぶ線分上の点での曲面の曲率半径のうちの最大値と最小値との差を７００ｍｍ以下にすることにより、シャドウマスク７の曲面保持強度を目標である１００％以上にすることができる。
【００６６】
また、点Ｐ（Ｖ）と点Ｐ（Ｄ）とを結ぶ線分上の点での曲面の曲率半径のうちの最大値と最小値との差が４５０ｍｍ以下であれば、１１０％以上の曲面保持強度を有するシャドウマスクを実現できる。
【００６７】
図６は、陰極線管の偏向角度とシャドウマスク曲面との関係を説明する断面図である。以下の説明でスクリーンアスペクト比及びスクリーン径は一定とする。
【００６８】
リファレンスラインの位置を２５から２５’に変更し、偏向角度をφからφ’へ広角化する場合を考える。
【００６９】
リファレンスライン２５とＺ軸との交点１９と蛍光体スクリーンの中央とを結ぶ直線（これはＺ軸と一致する）に沿ったパネル２の内面とシャドウマスク７との間の距離をｃ、交点１９と蛍光体スクリーン６の対角軸端６ａ、６ｂとを結ぶ直線に沿ったパネル２の内面とシャドウマスク７との間の距離をａ、リファレンスライン２５’とＺ軸との交点１９’と蛍光体スクリーン６の対角軸端６ａ、６ｂとを結ぶ直線に沿ったパネル２の内面とシャドウマスク７との間の距離をｂとする。
【００７０】
偏向角度をφからφ’へ広角化しても、シャドウマスク７の曲面形状が不変であれば、（ａ／ｃ）＜（ｂ／ｃ）となる。この場合、偏向角度をφからφ’へ広角化することにより、蛍光体スクリーン６の対角軸端６ａ、６ｂ付近において、シャドウマスク７の蛍光体スクリーン６への投射拡大率が大きくなる。従って、これに対応するように、蛍光体スクリーン６の３色蛍光体層の配置ピッチを大きくする必要が生じる。これは、蛍光体スクリーン６の対角軸端６ａ、６ｂ付近において解像度が低下するなどの画質劣化を招く。
【００７１】
そこで、偏向角度をφからφ’へ広角化しても、シャドウマスク７の蛍光体スクリーン６への投射拡大率が不変であることが望まれる。このためには、偏向角度をφからφ’へ広角化した場合には、シャドウマスク７よりも曲率半径が大きなシャドウマスク７’を用いればよい。即ち、交点１９’と蛍光体スクリーン６の対角軸端６ａ、６ｂとを結ぶ直線に沿ったパネル２の内面とシャドウマスク７’との間の距離をｂ’とすると、（ａ／ｃ）＝（ｂ’／ｃ）を満足する曲率半径のシャドウマスク７’を用いることにより、解像度が劣化せずに、偏向角度を増大させることができる。
【００７２】
しかし、シャドウマスク７’のように曲率半径を大きくすると、その曲面保持強度が低下するという問題が生じる。
【００７３】
通常、偏向角度を広角化すると、その変化割合と同程度分だけ曲面保持強度が低下する。例えば、偏向角度を、従来の一般的な１１０度から近年の要求レベルである１２０度に変更すると、曲面保持強度は概ね１０％程度低下することを確認している。ところが、図４の曲面保持強度が１００％である点Ｐ１（又は点Ｐ３）のシャドウマスクを有する陰極線管の偏向角度を１１０度から１２０度に広角化することにより曲面保持強度が９０％（＝１００％−１０％）に低下したとしても、図４の点Ｐ２のシャドウマスクを用いることにより約１１３％（＝９０％＋２３％）の曲面保持強度を確保することができる。このように、本発明は、１１５度以上、好ましくは１２０度以上の最大偏向角を有する陰極線管において特に有効である。
【００７４】
上記の数値例は一例にすぎず、本発明はこれに限定されない。例えば、スクリーンサイズ、スクリーンアスペクト比が上記以外の陰極線管にも本発明は有効であり、上記と同様の効果を奏する。
【産業上の利用可能性】
【００７５】
本発明の利用分野は特に制限はなく、例えばテレビジョン受像機やコンピュータディスプレイに有用である。特に、パネル外面が略平面である陰極線管や、偏向角度が大きな陰極線管などのように、曲率半径が大きなシャドウマスクを備えた陰極線管に特に好ましく利用することができる。
【図面の簡単な説明】
【００７６】
【図１】本発明の一実施形態に係る陰極線管のシャドウマスクの概略構成を示した斜視図である。
【図２】図２（Ａ）は本発明の一実施形態に係る陰極線管のシャドウマスク構体の概略構成を示す平面図、図２（Ｂ）は図２（Ａ）の２Ｂ−２Ｂ線での矢視断面図である。
【図３】図３は本発明の一実施形態に係る陰極線管のシャドウマスクの有孔部上の点を示した平面図である。
【図４】シャドウマスクの有孔部の曲面の曲率半径差Ｒｋ（ｖ0.95）−Ｒｋ（ｄ0.95）と曲面保持強度との関係の一例を示したグラフである。
【図５】図５（Ａ）、図５（Ｂ）、図５（Ｃ）は、それぞれ図４の点Ｐ１，Ｐ２，Ｐ３のシャドウマスクの第一象限内の主要点での曲面の曲率半径の値を示した図である。
【図６】陰極線管の偏向角度とシャドウマスクの曲面との関係をを説明するための断面図である。
【図７】従来の陰極線管の概略構成を示す模式的断面図である。
【符号の説明】
【００７７】
１・・・真空外囲器
２・・・パネル
３・・・ファンネル
４・・・コーン部
５・・・ネック
６・・・蛍光体スクリーン
６ａ，６ｂ・・・蛍光体スクリーンの対角軸端
７・・・シャドウマスク
８・・・電子銃
８Ｒ，８Ｇ，８Ｂ・・・電子ビーム
９・・・偏向ヨーク
１８・・・マスクフレーム
２０・・・磁気シールド
２５，２５’・・・リファレンスライン
７０・・・主面部
７１・・・有孔部
７１Ｈ・・・有孔部の長辺
７１Ｖ・・・有孔部の短辺
７２・・・無孔部
７３・・・スカート部
７５・・・電子ビーム通過孔
８０・・・シャドウマスク構体
【図１】
2007213981.tif 000003
【図２】
2007213981.tif 000004
【図３】
2007213981.tif 000005
【図４】
2007213981.tif 000006
【図５】
2007213981.tif 000007
【図６】
2007213981.tif 000008
【図７】
2007213981.tif 000009